(57)【要約】【課題】携帯端末において、抜け止め部の機能を損なうことなく、接続部を容易に接続用貫通孔に挿入できるようにする。【解決手段】携帯電話機１（携帯端末）の第２の筐体５（筐体）に外部接続用端子１２に対応して開口された端子接続用開口１０を設ける。この端子接続用開口１０を外側から覆う端子カバー１４に、弾性部材で構成され、先端に鉤状の抜け止め部１５が形成された接続部１６を設ける。端子接続用開口１０の周縁に、抜け止め部１５が挿入される接続用貫通孔１８を設ける。この接続用貫通孔１８に、抜け止め部１５が圧入される際に圧縮されて変形した抜け止め部１５の一部が通過するための切欠１９を形成する。【選択図】図１
2013017029.tif 000002
【特許請求の範囲】
【請求項１】
外部接続用端子に対応して開口された端子接続用開口を有する筐体と、
上記端子接続用開口を外側から覆う端子カバーとを備えた携帯端末において、
弾性部材で構成され、上記端子カバーから延び、先端に鉤状の抜け止め部が形成された接続部と、
上記端子接続用開口の周縁に設けられ、上記抜け止め部が挿入される接続用貫通孔とを備え、
上記接続用貫通孔には、上記抜け止め部が圧入される際に圧縮されて変形した該抜け止め部の一部が通過するための逃げ部が形成されている
ことを特徴とする携帯端末。
【請求項２】
請求項１に記載の携帯端末において、
上記逃げ部は、上記接続用貫通孔の周縁の一部を切り欠いた切欠よりなる
ことを特徴とする携帯端末。
【請求項３】
請求項２に記載の携帯端末において、
上記切欠の上記抜け止め部の差込方向手前側には、該抜け止め部を嵌め込んだ後スライドさせて上記接続用貫通孔へ誘導するためのガイド凹部が凹陥されている
ことを特徴とする携帯端末。
【請求項４】
請求項３に記載の携帯端末において、
上記抜け止め部は、挿入側先端に向かって先細となる第１傾斜面を有し、
上記ガイド凹部の貫通孔側壁面の上記抜け止め部が摺接する部分には、上記第１傾斜面に対応させて傾斜する第２傾斜面が形成されている
ことを特徴とする携帯端末。
【請求項５】
請求項１乃至４のいずれか１つに記載の携帯端末において、
上記弾性部材は、射出成形用熱可塑性ポリウレタンエラストマーよりなり、
上記筐体は、上記射出成形用熱可塑性ポリウレタンエラストマーよりも硬質の材料よりなる
ことを特徴とする携帯端末。
【請求項６】
請求項５に記載の携帯端末において、
上記端子カバーは、上記射出成形用熱可塑性ポリウレタンエラストマーと、該射出成形用熱可塑性ポリウレタンエラストマーよりも硬質の材料との二色成形により成形されている
ことを特徴とする携帯端末。
【請求項７】
請求項６に記載の携帯端末において、
上記端子カバーには、上記端子接続用開口を塞ぐシリコンゴムが接合され、該シリコンゴムの内部には、ステンレス補強板がインサート成形されている
ことを特徴とする携帯端末。
【請求項８】
請求項７に記載の携帯端末において、
上記ステンレス補強板は、上記シリコンゴムをインサート成形するときに金型に対して位置決めすると共に、上記インサート成形後のシリコンゴムを端子カバーに設けた位置決めピンに対して位置決めさせるための位置決め用孔を備えている
ことを特徴とする携帯端末。
【発明の詳細な説明】
【技術分野】
【０００１】
本発明は、外部接続用端子に対応して開口された端子接続用開口を外側から覆う端子カバーを備えた携帯端末に関するものである。
【背景技術】
【０００２】
従来より、外部接続用端子に対応して開口された端子接続用開口を有する筐体と、この端子接続用開口を外側から覆う端子カバーとを備えた携帯端末は知られている。
【０００３】
例えば、特許文献１の端子カバーの取付構造のように、端末機器に設けられた穴部と、端末機器の外部接続端子を閉塞するカバー部及びこのカバー部に取り付けられ、穴部に挿入されてカバー部を端末機器に保持させる弾性変形可能な保持部を有する端子カバーとを有するものは知られている。
【０００４】
保持部は、カバー部を穴部から外した状態で保持して外部接続用端子に端子を接続するために、適度な柔軟性を有する必要がある。柔軟性を高めると、保持部を穴部に挿入する際に、保持部が撓んで差し込みにくいという問題がある。このため、特許文献１では、保持部の矢尻状の頭部先端に切欠部を設けて頭部を穴部に挿入しやすいようにしている。
【先行技術文献】
【特許文献】
【０００５】
【特許文献１】特開２００９−１０５６１８号公報
【発明の概要】
【発明が解決しようとする課題】
【０００６】
しかしながら、従来の携帯端末では、挿入しやすさを重視して切欠部を大きく設けると、今度は、簡単に頭部が穴部から抜けてしまってカバー部が簡単に抜けてしまうという問題が生じる。逆に保持部を固くして撓まずに差し込みやすくすると、カバー部を外したときに、このカバー部を十分によけることができず、外部接続用端子に端子を接続しにくくなるという問題がある。
【０００７】
本発明は、かかる点に鑑みてなされたものであり、その目的とするところは、抜け止め部の機能を損なうことなく、接続部を容易に接続用貫通孔に挿入できるようにすることにある。
【課題を解決するための手段】
【０００８】
上記の目的を達成するために、この発明では、接続用貫通孔側の形状に工夫を加えて抜け止め部の挿入を容易にした。
【０００９】
具体的には、第１の発明では、外部接続用端子に対応して開口された端子接続用開口を有する筐体と、
上記端子接続用開口を外側から覆う端子カバーとを備えた携帯端末を前提とする。
【００１０】
そして、上記携帯端末は、
弾性部材で構成され、上記端子カバーから延び、先端に鉤状の抜け止め部が形成された接続部と、
上記端子接続用開口の周縁に設けられ、上記抜け止め部が挿入される接続用貫通孔とを備え、
上記接続用貫通孔には、上記抜け止め部が圧入される際に圧縮されて変形した該抜け止め部の一部が通過するための逃げ部が形成されている。
【００１１】
上記の構成によると、接続用貫通孔に逃げ部を設けているので、接続用貫通孔に抜け止め部を圧入する際に、弾性部材よりなる抜け止め部が変形し、その一部が逃げ部を通過するので、抜け止め部を通過しやすい。このため、接続部を適度に柔らかくしても接続部が撓んで接続用貫通孔に挿入しにくくなるということはない。しかも、一度抜け止め部が接続用貫通孔を通過すると、抜け止め部に切欠を設ける必要はないので、抜け止め部が必要以上に抜けやすくなることはなく、意図せず端子カバーが筐体から外れてしまうことが防止される。
【００１２】
第２の発明では、第１の発明において、
上記逃げ部は、上記接続用貫通孔の周縁の一部を切り欠いた切欠よりなる。
【００１３】
上記の構成によると、接続用貫通孔の周縁の一部を切り欠くだけで逃げ部を形成できるので、製造が容易である。例えば、筐体が射出成形品であれば、成型時に切欠を形成するだけでよい。このため、抜け止め部側に切欠を設ける必要がないので、抜け止め部側の強度を低下させることなく、挿入しやすく外れにくい端子カバーが得られる。
【００１４】
第３の発明では、第２の発明において、
上記切欠の上記抜け止め部の差込方向手前側には、該抜け止め部を嵌め込んだ後スライドさせて上記接続用貫通孔へ誘導するためのガイド凹部が凹陥されている。
【００１５】
上記の構成によると、抜け止め部を接続用貫通孔に挿入するときに抜け止め部がガイド凹部に嵌り込み、この嵌り込んだ状態でさらに押し込まれることで、切欠に変形した抜け止め部が逃げ込むので、抜け止め部が挿入しやすくなる。
【００１６】
第４の発明では、第３の発明において、
上記抜け止め部は、挿入側先端に向かって先細となる第１傾斜面を有し、
上記ガイド凹部の貫通孔側壁面の上記抜け止め部が摺接する部分には、上記第１傾斜面に対応させて傾斜する第２傾斜面が形成されている。
【００１７】
上記の構成によると、抜け止め部を接続用貫通孔に挿入するときに抜け止め部がガイド凹部に嵌り込み、この嵌り込んだ状態でさらに押し込まれると、抜け止め部の第１傾斜面がガイド凹部の第２傾斜面に当接し、徐々に変形した抜け止め部が切欠に逃げ込むので、抜け止め部がさらに挿入しやすくなる。
【００１８】
第５の発明では、第１乃至第４のいずれか１つの発明において、
上記弾性部材は、射出成形用熱可塑性ポリウレタンエラストマーよりなり、
上記筐体は、上記射出成形用熱可塑性ポリウレタンエラストマーよりも硬質の材料よりなる。
【００１９】
上記の構成によると、弾性部材として射出成形用熱可塑性ポリウレタンエラストマーを選択することにより、射出成形が容易で、適度に変形可能であると共に高強度な接続部が得られ、リサイクル可能であることから環境にも優しい。そして、筐体を弾性部材よりも硬質の材料で構成することにより、接続用貫通孔に切り欠いた切欠に変形した弾性部材が逃げ込むので、抜け止め部を容易に接続用貫通孔に挿入することができる。
【００２０】
第６の発明では、第５の発明において、
上記端子カバーは、上記射出成形用熱可塑性ポリウレタンエラストマーと、該射出成形用熱可塑性ポリウレタンエラストマーよりも硬質の材料との二色成形により成形されている。
【００２１】
上記の構成によると、少ない工程で端子カバーを確実かつ見映えよく成形できる。
【００２２】
第７の発明では、第６の発明において、
上記端子カバーには、上記端子接続用開口を塞ぐシリコンゴムが接合され、該シリコンゴムの内部には、ステンレス補強板がインサート成形されている。
【００２３】
上記の構成によると、ステンレス補強板によりシリコンゴムの変形が限定されて剛性が確保され、このステンレス補強板で剛性が保たれたシリコンゴムによって端子接続用開口が確実に閉じられるので、塵芥等の侵入が防止される。
【００２４】
第８の発明では、第７の発明において、
上記ステンレス補強板は、上記シリコンゴムをインサート成形するときに金型に対して位置決めすると共に、上記インサート成形後のシリコンゴムを端子カバーに設けた位置決めピンに対して位置決めさせるための位置決め用孔を備えている。
【００２５】
上記の構成によると、位置決め用孔で金型に対して位置決めすることで正確にシリコンゴムがインサート成形され、このインサート成形後の位置決め用孔を端子カバーの位置決めピンに挿通させることで、シリコンゴムが正確に位置決めされる。この正確にステンレス補強板が位置決めされた端子カバーにより、端子接続用開口が確実に密閉される。
【発明の効果】
【００２６】
以上説明したように、本発明によれば、端子接続用開口の周縁の接続用貫通孔に逃げ部を形成し、抜け止め部を圧入する際に圧縮されて変形した抜け止め部の一部を通過させるようにしたことにより、抜け止め部の機能を損なうことなく、接続部を容易に接続用貫通孔に挿入できるようにすることができる。
【図面の簡単な説明】
【００２７】
【図１】携帯電話機の接続用貫通孔及びその周辺を拡大して示す斜視図である。
【図２】閉じた状態の携帯電話機を示す斜視図である。
【図３】開いた状態の携帯電話機を示す斜視図である。
【図４】端子カバーの表面側を拡大して示す斜視図である。
【図５】端子カバーの分解斜視図である。
【図６】端子カバーの背面図である。
【図７】図６のVII−VII線断面図である。
【図８】図６のVIII−VIII線断面図である。
【図９】端子カバーが挿入された状態の第２の筐体を破断して示す一部拡大斜視図である。
【図１０】切欠の配置の概要を示す模式図である。
【図１１】切欠の配置の変形例にかかる図１０相当図である。
【図１２】切欠の配置のその他の変形例にかかる図１０相当図である。
【発明を実施するための形態】
【００２８】
以下、本発明の実施形態を図面に基づいて説明する。
【００２９】
図２及び図３は、本発明の実施形態の携帯端末としての携帯電話機１を示し、この携帯電話機１は、表示部２を有する第１の筐体３と、操作部４を有する筐体としての第２の筐体５とを備え、これら第１の筐体３と第２の筐体５とがヒンジ部６を中心に折畳み開閉自在に連結されている。このことで、携帯電話機１は、図２に示す閉じ状態と、図３に示す開き状態とに切換可能となっている。第２の筐体５は、例えば成型性の理由により表面側キャビネット５ａと、裏面側キャビネット５ｂとの分割構造よりなる。なお、簡略化のために第１の筐体３側を上側とし、第２の筐体５側を下側として説明する。
【００３０】
図１に示すように、上下方向に縦長の第２の筐体５の右側側面には、上下方向に長く、上下が円弧状に丸められた端子接続用開口１０が形成されている。端子接続用開口１０の周縁には、周囲の第２の筐体５の側面よりも低くなったカバー用凹部１１が凹陥されている。端子接続用開口１０の内部には、外部接続用端子１２が配置され、この外部接続用端子１２には、充電用端子、入出力端子等が接続可能となっている。
【００３１】
端子接続用開口１０は、外側から端子カバー１４で覆われている。図４〜図１０に示すように、この端子カバー１４の上側には、先端に鉤状の抜け止め部１５が形成された接続部１６が結合されている。接続部１６は、例えば、弾性部材である射出成形用熱可塑性ポリウレタンエラストマーよりなる。この射出成形用熱可塑性ポリウレタンエラストマーは、射出成形が容易で、適度に変形可能であると共に高強度であり、リサイクル可能であることから環境にも優しいという利点がある。端子カバー１４は、接続部１６を構成する射出成形用熱可塑性ポリウレタンエラストマーと、端子カバー１４の外観を構成し、この射出成形用熱可塑性ポリウレタンエラストマーよりも硬質の例えばポリカーボネート（ＰＣ）との二色成形により成形されている。抜け止め部１５は、先端に向かって先細となる第１傾斜面１５ａを有し、さらにその第１傾斜面１５ａの下端に接続部１６の裏面に対して垂直に交わる垂直面１５ｂを有する。
【００３２】
一方、図１及び図９に示すように、カバー用凹部１１の端子接続用開口１０の上側には、抜け止め部１５が挿入される下方から見て略矩形状（図１０参照）の接続用貫通孔１８が設けられている。そして、この接続用貫通孔１８には、抜け止め部１５が圧入される際に圧縮されて変形した抜け止め部１５の一部が通過するための逃げ部としての切欠１９が形成されている。なお、表面側キャビネット５ａと、裏面側キャビネット５ｂとは、射出成形用熱可塑性ポリウレタンエラストマーよりも硬質の樹脂成形品よりなる。このように、成形時に接続用貫通孔１８の周縁の一部を切り欠くように成型するだけで切欠１９を形成できるので、製造が容易である。
【００３３】
この切欠１９は、例えば、図１０〜図１２に複数例示するように、矩形状の接続用貫通孔１８の一部を切り欠いた切欠よりなる。本実施形態では、図１０の形状について説明する。詳細は後述するが、図１１や図１２の変形例のように切欠１１９，２１９を複数設けてもよい。
【００３４】
図１及び図９に示すように、切欠１９の抜け止め部１５の差込方向手前側（下側）には、この抜け止め部１５を嵌め込んだ後にスライドさせて接続用貫通孔１８へ誘導するためのガイド凹部２１が凹陥されている。抜け止め部１５の左右方向の高さｂは、接続用貫通孔１８の左右方向の高さａよりも高くなっている（ｂ＞ａ）。ガイド凹部２１は、接続用貫通孔１８の手前に第２傾斜面２１ａを有する。この第２傾斜面２１ａの傾斜角度は、抜け止め部１５の第１傾斜面１５ａと同程度の傾斜角度となっている。この第２傾斜面２１ａを設けることで、高さの差を徐々に緩和しながら、切欠１９に抜け止め部１５の肉を逃すようにしている。ガイド凹部２１を設けることで、外観上図１に示すように、切欠１９を設けた部分が土手のように盛り上がって見え、この土手の部分が切欠１９で２分割されているように見える。
【００３５】
そして、図５〜図８に示すように、端子カバー１４の裏面側には、端子接続用開口１０を塞ぐ、この端子接続用開口１０よりも若干大きく膨らんだシリコンゴム２０が接着剤等により接合されている。具体的には、端子カバー１４の裏側には、端子接続用開口１０に対応する位置に、この端子接続用開口１０よりも若干外形が小さい接着用凹部１４ａが凹陥され、その接着用凹部１４ａに一対の位置決めピン１４ｂが所定の距離を空けて立設されている。そして、シリコンゴム２０の内部には、ステンレス補強板２２がインサート成形されている。ステンレス補強板２２は、端子接続用開口１０よりもさらに外形が小さい上下方向が円弧状に丸められた上下方向に長い皿状の形状を有し、位置決めピン１４ｂに対応させ、その長手方向に間隔をあけて一対の位置決め用孔２２ａが設けられている。この位置決め用孔２２ａは、シリコンゴム２０をインサート成形するときに図示しない金型の突起が挿入されて位置決めする役割を果たす。この金型の突起が挿入された部分は、シリコンゴム２０の裏面側の一対の位置決め穴２０ａとなる（図７参照）。また、シリコンゴム２０の成形時にステンレス補強板２２を金型のキャビティ内に浮かせるために金型の上型及び下型にそれぞれ突出させたピン（図示せず）によって挟み込まれた部分が上側凹部２０ｂ及び下側凹部２０ｃとしてそれぞれ凹陥されている。そして、位置決め用孔２２ａで金型に対して位置決めすることで正確にシリコンゴム２０がインサート成形される。なお、一対の位置決め用孔２２ａの中間には同じ外形の貫通孔２２ｂが設けられているが、この貫通孔２２ｂは、ステンレス補強板２２とシリコンゴム２０との密着度を上げる等の役割を果たし、内部にシリコンゴム２０が充填されている。
【００３６】
そして、インサート成形後のシリコンゴム２０を接着用凹部１４ａに嵌合させるときに、一対の位置決め穴２０ａをそれぞれ位置決めピン１４ｂに対して位置決めさせ、シリコンゴム２０を端子カバー１４に接着するように構成されている。
【００３７】
なお、端子カバー１４は、接続部１６と反対側（下側）にシリコンゴム２０が端子接続用開口１０に嵌め込まれた状態で端子カバー１４が外れないようにする係止爪１４ｃが一体に形成されている。
【００３８】
次に、本実施形態にかかる携帯電話機１の作用について説明する。
【００３９】
組立工程において、接続用貫通孔１８に抜け止め部１５を圧入する際の作用について詳しく説明する。
【００４０】
まず、図１に示すように、接続部１６の先端の抜け止め部１５をガイド凹部２１に嵌め込む。
【００４１】
次いで、この嵌り込んだ状態でさらに押し込むと、第１傾斜面１５ａが第２傾斜面２１ａに当接する。
【００４２】
次いで、さらに差し込むと、切欠１９の周縁は、抜け止め部１６よりも硬質であるので、切欠１９に変形した抜け止め部１５が徐々に逃げ込む。このため、端子カバー１４の取り扱いを容易にするために接続部１６の柔軟性を高めても、接続部１６が撓んでしまって抜け止め部１５を差し込めなくなることはない。
【００４３】
そして、一度抜け止め部１５が切欠１９を通過すると、端子カバー１４を引っ張っても、その垂直面１５ｂが確実に接続用貫通孔１８の周縁裏面に引っ掛かるので、故意に強く引っ張って再び抜け止め部１５を変形させて切欠１９を通過させない限り、抜け止め部１５が抜けてしまわない。しかも、従来のように抜け止め部１５側に切欠を設ける必要がないので、抜け止め部１５は抜けにくくなっている。このため、意図せず端子カバー１４が筐体から外れてしまうことはないため、端子カバー１４を紛失するおそれがない。
【００４４】
抜け止め部１５が接続用貫通孔１８が挿入されると、次ぎに、シリコンゴム２０を端子接続用開口１０に圧入する。ステンレス補強板２２によりシリコンゴム２０の変形が限定されて剛性が確保されており、このステンレス補強板２２で剛性が保たれたシリコンゴム２０によって端子接続用開口１０が確実に閉じられるので、塵芥等の侵入が防止される。
【００４５】
また、外部接続用端子に充電端子等を接続する際には、接続部１６が十分に柔軟性を備えているので、端子カバー１４を容易によけることができる。このため、充電端子等の脱着が極めて容易である。
【００４６】
したがって、本実施形態にかかる携帯電話機１によると、端子接続用開口１０の周縁の接続用貫通孔１８に切欠１９を形成し、抜け止め部１５を圧入する際に圧縮されて変形した抜け止め部１５の一部を通過させるようにしたことにより、抜け止め部１５の機能を損なうことなく、接続部１６を容易に接続用貫通孔１８に挿入できるようにすることができる。
【００４７】
（その他の実施形態）
本発明は、上記実施形態について、以下のような構成としてもよい。
【００４８】
すなわち、上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００４９】
また、上記実施形態では、携帯電話機１は、第１の筐体３と第２の筐体５とがヒンジ部６を中心に折畳み開閉自在に連結されたものとしたが、第１の筐体が第２の筐体に対してスライド可能に連結されるものや、１つの筐体のみを有するものであってもよい。
【００５０】
また、上記実施形態では、外部接続用端子は、充電端子としているが、各種カード挿入用端子、ヘッドホン端子等の外部接続端子でもよく、特に用途は限定されない。
【００５１】
また、上記切欠１９の配置は、上記実施形態に限定されない。例えば、図１１に示すように、接続用貫通孔１１８の周縁における切欠１９の対向する辺の両端位置に一対の第２切欠１１９を設けてもよい。この第２切欠１１９の周縁にも第２傾斜面１２１ａを設けてもよい。また、図１２に示すように、上記実施形態の切欠１９のかわりに接続用貫通孔２１８の周縁におけるガイド凹部２１側の辺の両端にそれぞれ切欠２１９を設けてもよい。いずれの場合でも、抜け止め部１５の一部が変形して切欠１１９又は切欠２１９に逃げ込むので、抜け止め部１５が差し込みやすくなっている。
【００５２】
なお、以上の実施形態は、本質的に好ましい例示であって、本発明、その適用物や用途の範囲を制限することを意図するものではない。
【産業上の利用可能性】
【００５３】
以上説明したように、本発明は、外部接続用端子に対応して開口された端子接続用開口を外側から覆う端子カバーを備えた携帯電話機などの携帯端末について有用である。
【符号の説明】
【００５４】
１      携帯電話機（携帯端末）
５      第２の筐体（筐体）
１０      端子接続用開口
１１      カバー用凹部
１２      外部接続用端子
１４      端子カバー
１４ｂ    位置決めピン
１５      抜け止め部
１５ａ    第１傾斜面
１５ｂ    垂直面
１６      接続部
１８      接続用貫通孔
１９      切欠
２０      シリコンゴム
２１      ガイド凹部
２１ａ    第２傾斜面
２２      ステンレス補強板
２２ａ    位置決め用孔
【図１】
2013017029.tif 000003
【図２】
2013017029.tif 000004
【図３】
2013017029.tif 000005
【図４】
2013017029.tif 000006
【図５】
2013017029.tif 000007
【図６】
2013017029.tif 000008
【図７】
2013017029.tif 000009
【図８】
2013017029.tif 000010
【図９】
2013017029.tif 000011
【図１０】
2013017029.tif 000012
【図１１】
2013017029.tif 000013
【図１２】
2013017029.tif 000014